(57)【要約】【課題】ニンニク等のネギ類の種片の発芽を阻害することなく、雑草の発芽、繁殖を容易かつ効果的に抑制でき、雑草除去の作業が軽減され、ネギ類の成長を促進して効率よくネギ類を栽培することができるネギ類の栽培方法を提供する。【解決手段】本発明のネギ類の栽培方法は、マルチフィルムを使わずに栽培地にネギ類の種片を植え付ける工程、ネギ類の種片を植え付けた栽培地を廃菌床及び／又はおが屑で覆う工程、廃菌床及び／又はおが屑で覆われた栽培地でネギ類を発芽させる工程、を含むことを特徴とする。【選択図】なし【特許請求の範囲】
【請求項１】
マルチフィルムを使わずに栽培地にネギ類の種片を植え付ける工程、ネギ類の種片を植え付けた栽培地を廃菌床及び／又はおが屑で覆う工程、廃菌床及び／又はおが屑で覆われた栽培地でネギ類を発芽させる工程、を含むことを特徴とするネギ類の栽培方法。
【請求項２】
マルチフィルムを使わずに栽培地にネギ類の種片を撒く工程、栽培地に撒いたネギ類の種片を廃菌床及び／又はおが屑で覆う工程、廃菌床及び／又はおが屑で覆われた栽培地でネギ類を発芽させる工程、を含むことを特徴とするネギ類の栽培方法。
【発明の詳細な説明】
【技術分野】
【０００１】
本発明はニンニク、玉ねぎ、らっきょう等のネギ類の栽培方法に関する。
【背景技術】
【０００２】
球根を食用に利用するネギ類であるニンニクの栽培方法として、従来、所定の間隔で穴をあけた穴あきマルチフィルムでニンニク栽培用の栽培地表面を覆って、ニンニクを栽培する方法が一般に行われている。
【先行技術文献】
【非特許文献】
【０００３】
【非特許文献１】「ニンニク栽培．ｃｏｍ」[online]  平成２９年４月３日検索、インターネット＜ｕｒｌ：http://xn--pckvca3n111r2nu.com/＞
【発明の概要】
【発明が解決しようとする課題】
【０００４】
穴あきマルチフィルムを使用する栽培法では、フィルムの穴の部分にニンニクの種片を植え付け、その他の部分はフィルムで覆われるため、成長促進のための地熱を保持しやすく、雑草も生えにくいという利点がある。しかしながら、マルチフィルムを用いる栽培法は、フィルムにかかる費用とともに、フィルムの敷設作業やニンニク収穫時のフィルム除去作業に多大の労力を要する為に、ニンニクの栽培において労働力の確保に苦労するだけでなく、人件費が非常に高くつく問題があった。またマルチフィルムで覆われている部分で雑草繁殖の抑制効果はあるものの、現実には穴あき部分からの雑草の繁殖が著しく、雑草繁殖抑制効果は必ずしも十分とは言えなかった。ニンニクは５月頃に花径が伸びて花を咲かせるが、球根収穫の目的では花を咲かせることなく花径を摘み取る事が必要となる。しかしながら、雑草が繁殖すると花径の摘み取り作業が極めて煩雑となる。このため、早め早めの手摘みによる雑草除去が必要になり、栽培作業の煩雑化、栽培コストの上昇を招くこととなっていた。
【課題を解決するための手段】
【０００５】
本発明者は上記従来の課題を解決すべく鋭意検討の結果、従来より廃棄に困っていた廃菌床が雑草の種をほとんど混入していないことに着目し、ニンニク等のネギ類を栽培する栽培地を廃菌床や廃菌床の原材料であるおが屑で覆うことにより、穴あきマルチフィルムで栽培地を被覆した場合に比べ、遥かにニンニク等のネギ類を栽培する栽培地の雑草の発生と繁殖が少ないだけでなく、マルチフィルムで被覆した場合と同等にニンニク等のネギ類の生育が良いことを見出し本発明を完成するに至った。
【０００６】
即ち本発明の第一の方法は、マルチフィルムを使わずに栽培地にネギ類の種片を植え付ける工程、ネギ類を植え付けた栽培地を廃菌床及び／又はおが屑で覆う工程、廃菌床及び／又はおが屑で覆われた栽培地でネギ類を発芽させる工程、を含むことを特徴とするネギ類の栽培方法にある。また本発明の第二の方法は、マルチフィルムを使わずに栽培地にネギ類の種片を撒く工程、栽培地に撒いたネギ類の種片を廃菌床及び／又はおが屑で覆う工程、廃菌床及び／又はおが屑で覆われた栽培地でネギ類を発芽させる工程、を含むことを特徴とするネギ類の栽培方法にある。
【発明の効果】
【０００７】
本発明のネギ類の栽培方法によれば、種片の発芽を阻害することなく、雑草の発芽、繁殖を容易かつ効果的に抑制できるため、雑草除去の作業を軽減できる。また地熱が保持されるため冬期の凍結を防止し、ネギ類の成長が促進され、効率よくネギ類を栽培することができる。更に収穫後に除去したマルチフィルムの廃棄費用が発生する事も無い。本発明方法で使用する廃菌床やおが屑は安価に供給されるとともに、廃菌床やおが屑で栽培地を覆うために煩雑な作業を必要としないため、栽培コストの低減化を図ることができる。ネギ類栽培の栽培地を覆うために使用した廃菌床やおが屑は、収穫後に栽培地の土中に鋤き込むことで土中の有機物量が増加し、次年度以降のネギ類の栽培効率向上に好ましい影響を及ぼす。本発明のネギ類の栽培方法によると、毎年大量に廃棄されていた廃菌床のリサイクル有効利用も図ることができる等の効果を奏する。また本発明の第二の方法はネギ類の種片を栽培地に撒いて、その上を廃菌床及び／又はおが屑で覆うだけで良く、ネギ類の種片を植え付ける手間が省けるため、より効率よくネギ類の栽培を行うことができる。
【発明を実施するための形態】
【０００８】
本発明において、ネギ類としては、ニンニク、玉ねぎ、らっきょう等の種片を栽培するものが挙げられる。ニンニクとしては、例えば平戸ニンニク、上海早生、島ニンニク、遠州極早生、紫々丸、壱州早生、沖縄早生、ハリマ王等の暖地向き品種、福地ホワイト六片、富良野、北海道在来種等の寒冷地向き品種、ジャンボニンニク、無臭ニンニク、一片種等のニンニク、金郷純白、蒼山、交配雑種、嘉定種等が挙げられる。これらの中でも交配雑種、嘉定種、ハリマ王が好ましい。
【０００９】
玉ねぎとしては、北はやて２号、バレットベア、北早生３号、Ｄｒ.ピルシー、オホーツク１号、オホーツク２２２、パワーウルフ、カムイ、ブラウンベア、北こがね２号、ウルフ、北もみじ２０００、スーパー北もみじ、イコル、コディアック、ベガス、玉灯り、北海天心、レッドアイアーリー、ＴＴＡ−７５２、レッドアイ等が挙げられる。
【００１０】
らっきょうとしては、らくだ、八房、玉らっきょ、花らっきょう、島らっきょう、エシャレット、サンド・パール、越のパール、越のレッド、プリティルビー、浜４号、ヤマラッキョウ等が挙げられる。
【００１１】
本発明で用いる廃菌床は、はたけしめじ、エリンギ、まいたけ、ぶなしめじ、しいたけ、ひらたけ、えのき等のキノコの菌床栽培に用いた使用済みの菌床で、クヌギ、ナラ、ブナ等の木材のおがくずを主成分とするもので、通常、フスマ、おから、米ぬか等を含んでいる。廃菌床としては、特にシイタケの栽培に用いた廃菌床が好ましい。おが屑は、菌床に用いられるものと同様、クヌギ、ナラ、ブナ等の木材を粉砕したおが屑を用いることができる。廃菌床やおが屑によってニンニク培地を覆うに際し、廃菌床やおが屑は、それぞれ単独で用いても併用しても良い。また廃菌床は通常、破砕機にかけて破砕してから被覆用に用いる。
【００１２】
ニンニクの場合、種片は、通常、秋に植え付けられ、翌年の５〜６月に収穫される。本発明第一の方法においては、マルチフィルムを使わずに、農地、ハウス内等の栽培地にニンニク等のネギ類の種片（以下、単に種片ということがある。）を植え付け、その栽培地の上を廃菌床及び／又はおが屑で覆った状態でニンニク等を発芽、育成する。通常、施肥をした栽培地の土中に種片を植え付けた後に、栽培地表面を廃菌床及び／又はおが屑で覆うが、栽培地を廃菌床及び／又はおが屑で覆った後に栽培地に種片を植え付けても良い。本発明の第二の方法においては、マルチフィルムを使わずに、栽培地の土面に種片を撒き、その上を廃菌床及び／又はおが屑で覆った状態で発芽、育成する。本発明の第二の方法では、種片は栽培地表面に撒くだけでよく、種片を一つ一つ栽培地に植え付ける作業が不要であるため、ニンニク等のネギ類の栽培を更に効率よく行うことができる。第二の方法において、栽培地に種片を撒いた後、その上に直接廃菌床及び／又はおが屑を撒いて被覆しても良いが、栽培地に撒いた種片の上を土で被覆した後、更にその上を廃菌床及び／又はおが屑で覆うようにしても良い。
本発明の第一の方法、第二の方法において、ニンニク等のネギ類の種片を植え付け又は撒いた栽培地の上を被覆する廃菌床及び／又はおが屑の厚みは通常、２〜１０ｃｍが好ましいが、第一の方法では、２〜６ｃｍがより好ましく、第二の方法では３〜８ｃｍがより好ましい。ネギ類を栽培する地域の気候（寒冷地か温暖地）によって、栽培地の上を被覆する廃菌床及び／又はおが屑の厚みを調整することができる。
【実施例】
【００１３】
以下、実施例、比較例を挙げて本発明を更に詳細に説明する。
兵庫県小野市の試験農地にて、２０１６年９月に中国品種ニンニク「雑種」の種片を植え付け、雑草の繁殖状態、ニンニクの成長状態を観察した。試験区画を二つに分け、一方の区画にはニンニク種片を植え付けた後、しいたけ廃菌床を区画全体に敷設して栽培を行った（廃菌床区）。他方の区画は穴あきマルチフィルムを敷設した後、ニンニク種片を植え付けて栽培を行った（マルチ区）。２０１７年３月、４月、５月に廃菌床区、マルチ区における雑草の繁殖状態、ニンニクの成長状態を観察した。あわせてニンニク種片を植え付けただけのマルチ無し区における雑草の繁殖状態、ニンニクの成長状態を観察し、廃菌床区、マルチ区と比較した。雑草の繁殖状態の結果を表１に、ニンニクの成長状態の結果を表２に示す。
【００１４】
【表１】
2019013195.tif 000002
【００１５】
雑草の繁殖状態
雑草の繁殖状態は、３月、４月、５月の月初に各区画において間引きをせずに放置し雑草繁殖状態を観察し、
◎：雑草の発生が非常に少なく、ほとんど繁殖していない。
○：雑草の発生はマルチ無し区と比べて少ないが繁殖している。
×：区画全面に雑草がひどく繁殖。
として評価した。
【００１６】
【表２】
2019013195.tif 000003
【００１７】
ニンニクの成長状態
ニンニクの成長状態を、マルチフィルムを敷設したマルチ区と比較し、
○：マルチ区と同等。
×：マルチ区より劣る。
として評価した。
【００１８】
ニンニクの成長状態は廃菌床区、マルチ区ともほぼ同等であったが、マルチ無し区では成長が劣っていた。また雑草の繁殖状態は、マルチ無し区ではニンニクが雑草にほとんど隠れている状態で、雑草かニンニクかの見分けがつかない程であったのに対し、廃菌床区では雑草の発生が非常に少なかった。一方、マルチ区はマルチ無し区に比べて雑草の繁殖は少ないものの、すぐにニンニクの葉の穂先がようやく見える程度まで雑草が伸びてしまい、花径の摘み取りに煩雑な作業が必要となるため、早め早めの数度に亘る除草作業が必要であった。